Podtech/llm-jp-corpus-v4-ja_patent huggingface dataset:
(57)【要約】      （修正有）【課題】携帯に好適であるとともに、靴同士が擦れ合うことで傷つくことを防止可能な靴袋を提供する。【解決手段】靴袋１は、左右一対の靴を並置した際の外周面に合わせて立体裁断され生地を、開口部３を残して縫製することで袋体を形成し、袋体内中央部長手方向に仕切り２を設けて構成する。靴袋はニット生地で編成するか、又は不織布など任意の布素材を使用し得る。また、開口部３に紐４等の閉鎖手段を設けて構成する。靴袋の、外側面に手提げ部材を設けて構成しても良い。【選択図】図２
0003181945.tif 000002
【実用新案登録請求の範囲】
【請求項１】
左右一対の靴を並置した際の外周面に合わせて立体裁断された生地を、開口部を残して縫製することで袋体を形成し、袋体内中央部長手方向に仕切りを設けた靴袋。
【請求項２】
ニット生地で編成した請求項１記載の靴袋。
【請求項３】
開口部に閉鎖手段を設けた請求項１又は２に記載の靴袋。
【請求項４】
外側面に手提げ部材を設けた請求項１乃至３いずれかに記載の靴袋。
【考案の詳細な説明】
【技術分野】
【０００１】
本考案は靴を収納し、或いは携帯するために使用する靴袋に関する。
【背景技術】
【０００２】
靴を収納する際には、購入時の包装用箱を使用する、或いは市販の引出し状の箱体を使用することが一般的に行われている。
【０００３】
靴を携帯する際には、袋の中に一対の靴をそのまま収納することが通常である。
【０００４】
一対の靴のうちの片方を収納する箱と、他方を収納する箱を１８０度回転させた形状でヒンジを介して連結し、開閉自在として靴を収納し或いは携帯するためのケースが特許文献１に開示されている。
【０００５】
箱内の中央に仕切りを設けると共に、上面に透明窓部を有する靴ケースが、特許文献２に開示されている。
【先行技術文献】
【特許文献】
【０００６】
【特許文献１】特開２００５−２９１６８号公報
【特許文献２】特開平８−４０４７９号公報
【考案の概要】
【考案が解決しようとする課題】
【０００７】
一対の靴を袋の中に入れて携帯すると、靴同士が擦れて傷ついたり、汚れるといった問題点があった。
【０００８】
先行技術文献記載の発明のように、仕切られた内部を有する箱に収納し、携帯すれば、靴同士が摺れることに伴う上記問題点は解消されるが、ケースが大型になりがちであり、携帯に不向きであると共に、ケースと摺れて靴が傷つく恐れがあった。
【０００９】
そこで本考案は、携帯に好適であるとともに、靴同士が擦れ合うことで傷つくことを防止可能な靴袋を提供することを目的とする。
【課題を解決するための手段】
【００１０】
上記の目的を達成する本発明の構成は次の通りである。
【００１１】
（１）  請求項１に記載の靴袋は、左右一対の靴を並置した際の外周面に合わせて立体裁断され生地を、開口部を残して縫製することで袋体を形成し、袋体内中央部長手方向に仕切りを設けて構成した。
【００１２】
（２）  請求項２に記載の考案は、請求項１記載の靴袋をニット生地で編成した。
【００１３】
（３）  請求項３に記載の考案は、請求項１又は２に記載の靴袋において、開口部に閉鎖手段を設けて構成した。
【００１４】
（４）  請求項４に記載の考案は、請求項１乃至３いずれかに記載の靴袋において、外側面に手提げ部材を設けて構成した。
【考案の効果】
【００１５】
本考案に係る靴袋は、左右一対の靴を並置した際の外周面に合わせて立体裁断された袋を用いていることから、つまりは、靴を並置した際の外周面に略相似した形状の袋であることから、可能な限り小型化した形態になっており、持ち運びに適したものとなる。
【００１６】
係る立体裁断の手法を用いることから、短靴のみならずブーツ等の長靴を収納可能な靴袋の提供が可能となる。
【００１７】
また、袋内に仕切りが設けられていることから、片方づつを別個に収納可能であり、靴同士が擦れ合うことを防止できるものである。
【００１８】
更には、ニット生地で編成してあることから、袋自体が靴を傷つける恐れも少ないものである。
【図面の簡単な説明】
【００１９】
【図１】本考案の実施状態を示す説明図
【図２】開口部側から示す実施状態図
【図３】立体裁断された生地を示す説明図
【考案を実施するための形態】
【００２０】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２１】
図３ａは並置した左右一対の靴の外周面にそって立体裁断された、縫製前の生地を示すものであり、図３ｂは仕切り２を形成する生地を示すものである。
【００２２】
図中上下端縁の点線Ｂ１とＢ２、靴のつま先に当たる左端縁の点線Ｃ１とＤ１、Ｃ２とＤ２、を合わせて点線にそって縫製し袋状にする。Ｂ１，Ｂ２と共に、仕切り２の上端縁の点線Ｂ３を合わせて点線にそって縫製し、また、仕切り２の下端縁の点線Ａ２と袋体の中央部の点線Ａ１とを合わせて点線にそって縫製して、袋体中央部長手方向に仕切り２を形成する。以上のように縫製すれば、縫い目が収納した靴に接することがなく、縫い糸と摺れることで靴が傷つくことも抑制可能なものである。
【００２３】
図中右端は縫製せず開口部３を形成する。右端近傍は折り返してＦのラインにそって縫製し、袋状にして内部に閉鎖手段たる紐４を通すものである。
【００２４】
また、布体の端部をＥ１、Ｅ２に縫製することで、手提げ部材５を形成する。
【００２５】
かようにして作成された靴袋１に靴を収納した状態を示すのが図１である。靴の形状とほぼ相似形を呈することから、極めてコンパクトに収納可能であり、閉鎖手段たる紐４の両端を引くことで開口部３を閉じるものである。また、手提げ部材５たる布体により、持ち運びの利便性が図られるものである。
【００２６】
靴を収納した状態を開口部３側から示したのが図２である。仕切り２が設けてあることから、靴同士が擦れ合うことを防止できるものである。
【００２７】
本考案に係る靴袋１は、編成の容易さからニット生地を用いることが好ましいが、むろん係る限定を受けるものではなく、不織布その他任意の布素材を利用可能である。
【符号の説明】
【００２８】
１・・靴袋
２・・仕切り
３‥開口部
４・・紐
５・・手提げ部材
【図１】
0003181945.tif 000003
【図２】
0003181945.tif 000004
【図３】
0003181945.tif 000005
(57)【要約】      （修正有）【課題】エレベーター内／外での乗客の人数などを正確に判断することを可能にし、エレベーターの空運転や必要のない停止を回避することができ、エレベーターの運行の効率を上げ、エレベーターの寿命を延ばすことができるシステムを提供する。【解決手段】コントローラー１と、図形分析器２と、撮影装置３と、人体検出器４とを備え、前記の図形分析器２と人体検出器４がそれぞれ前記コントローラー１と接続し、前記撮影装置３と前記図形分析器２と接続し、乗客の画像情報を採集する前記撮影装置３がエレベーターのかごの上部に設置され、エレベーターを利用する乗客がいるか否かを検出する人体検出器４が各階のエレベーターの乗降ロビーに設置されることを特徴とする。【選択図】図１
0003181988.tif 000002
【実用新案登録請求の範囲】
【請求項１】
コントローラーと、図形分析器と、撮影装置と、人体検出器とを備え、
前記図形分析器と人体検出器とがそれぞれ前記コントローラーと接続し、
前記撮影装置と前記図形分析器とが接続し、
乗客の画像情報を収集する前記撮影装置がエレベーターのかごの上部に設置され、
エレベーターを利用する乗客が存在するか否かを検出する人体検出器が各階のエレベーターの乗降ロビーに設置される
ことを特徴とするエレベーターの省エネコントロールシステム。
【請求項２】
前記人体検出器が圧力センサーである
ことを特徴とする請求項１に記載のエレベーターの省エネコントロールシステム。
【請求項３】
前記撮影装置がカメラである
ことを特徴とする請求項１に記載のエレベーターの省エネコントロールシステム。
【考案の詳細な説明】
【技術分野】
【０００１】
本考案は、エレベーターの自動コントロール技術、特に、エレベーターの省エネコントロールシステムに関するものである。
【背景技術】
【０００２】
現在、高層ビル建築のインテリジェント化に伴って、エレベーターの運行に関わる制御のインテリジェント化に対する要求もますます高まってきた。エレベーターの運行の際に、ボタンを押しても待ち時間が長いので乗客が立ち去ってしまい、待つ乗客がいないにもかかわらずエレベーターが止まり、あるいは、同じ階に複数のエレベーターがある場合、乗客はそれらのボタンを押す一方、先に着いたエレベーターに乗ろうとするため、他の乗客の時間と電気エネルギーを無駄にするといった問題がある。
【考案の概要】
【考案が解決しようとする課題】
【０００３】
本考案はエレベーターの省エネコントロールシステムを提供し、従来の技術に存在する制限や欠陥となる一つあるいは複数の問題を解決する。
【０００４】
本考案の他の優れた点や目的、特徴の一部を下記の明細書で説明する。他の一部は当該分野の通常の技術者にとっては下記の説明により明らかになる。明細書と請求項、図面で特別に説明した構造によって本考案の目的と長所を理解することができる。
【課題を解決するための手段】
【０００５】
本考案に係るエレベーターの省エネコントロールシステムは、コントローラーと、図形分析器と、撮影装置と、人体検出器とを備える。前記図形分析器と人体検出器とがそれぞれ前記コントローラーと接続し、前記撮影装置と前記図形分析器とが接続し、乗客の画像情報を収集する前記撮影装置がエレベーターのかごの上部に設置され、エレベーターを利用する乗客が存在するか否かを検出する人体検出器が各階のエレベーターの乗降ロビーに設置される。
【０００６】
前記人体検出器は圧力センサーであることが望ましい。
【０００７】
前記撮影装置はカメラであることが望ましい。
【考案の効果】
【０００８】
本考案は、エレベーター内／外での乗客の人数などを正確に判断することを可能にし、エレベーターの空運転や必要のない停止を回避することを可能にし、エレベーターの運行の効率を上げ、エレベーターの寿命を延ばすことができる。
【図面の簡単な説明】
【０００９】
【図１】本考案の実施形態に係るエレベーターの省エネコントロールシステムの構造を示す図である。
【考案を実施するための形態】
【００１０】
以下では、本考案の一実施形態を図面に基づき説明する。
【００１１】
図１で示すように、本考案は、エレベーターの省エネコントロールシステムを提供する。図１に示すエレベーターの省エネコントロールシステムは、コントローラー１と、図形分析器２と、撮影装置３と、人体検出器４とを備える。前記の図形分析器２と人体検出器４とがそれぞれ前記コントローラー１と接続し、前記撮影装置３が前記図形分析器２と接続され、乗客の画像情報を採集する前記撮影装置３がエレベーターのかごの上部に設置され、エレベーターを利用する乗客が存在するか否かを検出する人体検出器４が各階のエレベーターの乗降ロビーに設置される。
【００１２】
エレベーターのかごや各階のドアの上部に設置される前記撮影装置３が画像情報を収集し、前記図形分析器２によって乗客がいるかどうかを分析する。前記撮影装置３はカメラであってもよい。
【００１３】
本考案の運行原理は以下である。かごのドアが開き、乗客がかごに入ると、かごの上部に設置される前記撮影装置３と図形分析器２とが乗客がいることを探知し、コントローラー１に「乗客が存在する」という指令を送信する。
【００１４】
かごのドアが開いた後、乗客が階数ボタンを押したにもかかわらずエレベーターに入らない場合、前記撮影装置３と図形分析器２とが乗客の存在を検知しないため、コントローラー１に「乗客が存在しない」という指令を送信する。前記コントローター１が前記指令を受信すると、エレベーターに運転しない指令を送信する。
【００１５】
また、コントローラー１は、各階のエレベーターの乗降ロビーエリアに設置される人体検出器４によって、エレベーターに乗る乗客がいるかどうかを判断する。人体検出器４は圧力センサーであり、圧力を測定することによって乗客がいるかどうかを判断する。乗客がいない場合、コントローラー１はエレベーターに運行を停止しない指令を送信し、通常運行をする。これによって、乗客が各階のエレベーターボタンを押したが乗らない場合のエレベーターの停止を回避することができ、時間と電力を節約し、エレベーターの寿命を延ばすことができる。
【００１６】
上記は本考案の最適な実施例の一つであり、本分野の技術者は、本考案に基づいて、具体的な実施例や応用する範囲を変更してもよい。本明細書の内容は、本考案を限定するものではない。
【符号の説明】
【００１７】
１    コントローラー
２    図形分析器
３    撮影装置
４    人体検出器
【図１】
0003181988.tif 000003
(57)【要約】      （修正有）【課題】下端筋の下筋と上筋の交差部を鋼線の湾曲部とクランク状鋼線で挟み込むことで２本脚にして安定的に上端筋をも受けることのできるキャップ付き上下筋受スペーサーを提供する。【解決手段】下端筋の下筋８を受ける並列する２箇所の湾曲部を持つ概ね門型に加工された鋼線より成るスペーサーであって、該スペーサーにクランク状に加工された鋼線２を水平位置でスポット溶接し、該クランク状鋼線の低位部で下端筋の下筋８と上筋９を挟んで固定し高位部は該スペーサーを傾斜させて下端筋の交差部にセットする際の逃げ４として２本脚のキャップ付き上下筋受スペーサーとする。【選択図】図３
0003181908.tif 000002
【実用新案登録請求の範囲】
【請求項１】
下端筋の下筋を受ける並列する２箇所の湾曲部を持つ概ね門型に加工された鋼線より成るスペーサーであって、該スペーサーにクランク状に加工された鋼線を水平位置でスポット溶接し、該クランク状鋼線の低位部で下端筋の下筋と上筋を挟んで固定し高位部は該スペーサーを傾斜させて下端筋の交差部にセットする際の逃げとしたことを特徴とする２本脚のキャップ付き上下筋受スペーサー。
【考案の詳細な説明】
【技術分野】
【０００１】  本考案は、建築用鉄筋の鋼線スペーサーに関する。
【背景技術】
【０００２】  従前、ベランダを含むスラブ用の鉄筋のかぶりを確保するための鋼線製のスペーサーには様々な形状のものが使用されているが、該鋼線製スペーサーは何れもその下端部が型枠と接するため型枠解体後の発錆を防ぐ目的で防錆処理が施されている。
該防錆処理の方法としてはスペーサーの足元に粉末樹脂を焼付け塗装する方法と足元に樹脂製のキャップを履かせる方法とがあるが、前者の塗布厚さが０．５ｍｍ程度であるのに対し後者は型枠と接する部分の厚さが少なくとも５ｍｍあり、その防錆効果には著しい差がある。
【考案の概要】
【考案が解決しようとする課題】
【０００３】  上述のごとく防錆効果という観点からスペーサーを使用する業者はスペーサーの足元にキャップを履かせた所謂キャップ付きスペーサーの使用を希望しているが、該キャップ付きスペーサーは製造工程の手間が掛かるため粉末樹脂を焼付け塗装したものより割高になっている。
また一個のスペーサーでスラブの上端筋と下端筋の両方を受ける形式の所謂上下筋受スペーサーは割安であり、上述のごとく割高になっているキャップ付きスペーサーにおけるこの形式のスペーサーの開発が要望されている。該キャップ付きスペーサーを上下筋受形式にするのはその形状を複雑なものにすることが許されるのであれば容易であるが、それでは素材、製造工程ともにコストが上昇し一段と割高なものになってしまう。
【課題を解決するための手段】
【０００４】  本考案者は鋭意研究した結果、簡略な形状の即ち素材である鋼線の使用量が少なく且つ製造工程の少ないキャップ付き上下筋受スペーサーを開発することに成功した。
該目的を達成するための要点は、まず従前であれば安定して上端筋を受けるための４本脚のスペーサーと同じく下端筋を受けるための４本脚のスペーサーの計２個のスペーサーで計８本の脚を要しているところを１個のスペーサーで且つ如何に脚の本数を少なくできるかということである。
次の要点はスラブの型枠上に格子状に配置された鉄筋の交差部にセットし得る形状で尚且つ結束線で結束したときと同じ固定力を発揮する形状でなければならないことである。【０００５】  以下、本考案を図に従い、詳しく説明する。図１は本考案によるキャップ付き上下筋受スペーサーのイメージ図である。
ここで符号１は下端筋の下筋を受ける湾曲部、符号２はスペーサー本体にスポット溶接された鋼線をクランク状に加工したものである。該クランク２の符号３の部分と湾曲部１との間に下端筋の交差部を挟み込んでこれを固定する。符号４の盛り上がり部は、該スペーサーを下端筋の交差部にセットする過程で図２の側面図のごとく概ね４５度傾斜させなければならないが、その時鉄筋９と干渉しないための逃げである。符号５は上端筋を受ける部分、符号６は該スペーサーの脚部であり、その先端に防錆用キャップ７が差し込まれている。
該スペーサーは図２のごとく湾曲部１が下端筋の下筋８に当接した後、矢印の方向に回して図３の側面図のごとく垂直位置になったところで該スペーサーを横にずらして前述のごとく符号１と符号３とにより交差部の下筋８と上筋９を挟み込んで固定する。【０００６】  図４は図３を斜め上方から視たイメージ図である。また図５はさらに上端筋を載せたときの側面図であり、ここで符号１０は上端筋の下筋、符号１１は同じく上筋である。
また図５に注目したとき該スペーサーはキャップ７の底部を支点としてその右側に位置する鉄筋の重量による時計回りのモーメントを受けて転倒するように思われるが、下端筋の上筋９がクランク状鋼線２の符号３の部分に接して固定されているため上筋９と接する下筋８の頂点を支点とする反時計回りのモーメントが生じており、これが上述の時計回りのモーメントと釣り合うことで２本脚にも拘らず該スペーサーは安定的に鉄筋を支保でき、この効果が材料費の削減と製造工程の省力化によるコストダウンに繋がっている。
【考案の効果】
【０００７】  本考案によるキャップ付き上下筋受スペーサーは１個でスラブの上端筋と下端筋を受け、且つその脚部には粉末樹脂を焼付け塗装するより遥かに防錆効果の高い樹脂製キャップを装着しているなど多くの機能を有している。該スペーサーを安価で提供できる。
【図面の簡単な説明】
【０００８】
【図１】  本考案によるスペーサーのイメージ図
【図２】  スペーサーをセットする途中の側面図
【図３】  スペーサーのセットが終了したときの側面図
【図４】  スペーサーを下端筋の交差部にセットしたイメージ図
【図５】  下端筋と上端筋を受けるスペーサーの側面図
【考案を実施するための形態】
【０００９】  型枠上に結束することなく直交して所定のピッチで配られた下端筋の下筋と上筋の交差部を若干持ち上げた状態で本考案によるスペーサーを概ね４５度に傾斜させながら該スペーサーの湾曲部１が下筋８に接するまで押し込んだのち該スペーサーを起こすように回転させてから横にずらして湾曲部１とクランク状鋼線２の符号３の部分とで下端筋の下筋と上筋を挟み込んで固定する。
以上の要領で該スペーサーを概ね１ｍピッチでセットしたのち下端筋の残りの交差部をすべて結束し安定させる。次に該スペーサーの符号５の部分及び他の部分に上端筋の下筋１０を配する。この上に上端筋の上筋１１を配して結束するなどの作業は従前と変わらない。
【産業上の利用可能性】
【００１０】  本考案によるキャップ付き上下筋受スペーサーは上述のごときの省力化された形状によるコストダウン及び高い防水性を有する樹脂製キャップの装着など優れた商品性を備えているので産業上の利用価値は大きいと考えられる。
【符号の説明】
【００１１】１，湾曲部
２，クランク状鋼線
３，鉄筋固定部
４，逃げ部
５，上端筋受部
６，脚部
７，樹脂製キャップ
８，下端筋の下筋
９，下端筋の上筋
１０，上端筋の下筋
１１，上端筋の上筋
【図１】
0003181908.tif 000003
【図２】
0003181908.tif 000004
【図３】
0003181908.tif 000005
【図４】
0003181908.tif 000006
【図５】
0003181908.tif 000007
(57)【要約】      （修正有）【課題】自動車、二輪車における後方確認精度を向上させるサイドミラーを提供する。【解決手段】自動車、二輪車のサイドミラーのミラー部に車間距離安全線１と、道路後端合わせマーク２を設ける。ミラーに映る道路後端を道路後端合わせマーク２に合わせ、その時のミラー内において車間距離安全線１より上側が後方距離安全域となる。また車間距離安全線１より下側に後方車両３が入ると危険距離となる。【選択図】図１
0003181909.tif 000002
【実用新案登録請求の範囲】
【請求項１】
後方距離確認線を表記した鏡を組み合わせたサイドミラー。
【考案の詳細な説明】
【技術分野】
【０００１】  本考案は自動車と二輪車のサイドミラーに関するものである。
【背景技術】
【０００２】  自動車、二輪車において車線変更や左折等の際に行う後方確認時に、現状のサイドミラーでは安全距離の判断が難しい。
【考案の概要】
【考案が解決しようとする課題】
【０００３】  自動車、二輪車において車線変更や左折等に行うサイドミラー確認の際、後方との速度差や視覚感覚のズレより接触事故が後をたたない。
【課題を解決するための手段】
【０００４】  本考案は自動車、二輪車のサイドミラーに、運転車体と後方車との安全距離を測定するしるしを表記する。
【考案の効果】
【０００５】  本考案により後方確認の精度が上がり、車線変更や左折時等に起る接触事故が軽減される。
【図面の簡単な説明】
【０００６】
【図１】  自動車用ミラー図、右側
【図２】  二輪車用ミラー図、右側
【図３】  自動車用ミラーの車間距離図
【図４】  二輪車用ミラーの車間距離図
【考案を実施するための形態】
【０００７】  従来の自動車、二輪車におけるサイドミラーの鏡の部分に、車間距離の安全確認線の入った鏡を用いる。
【実施例】
【０００８】  ミラーに映る道路の後端を２に合わせる、その時における１が車間距離安全線となる。
１より対象車両がミラー下側に映っている時は後方車両３との車間が短く危険である。逆に１より上側に映っている時は安全である。
ミラーに映る３の実際の地点は４となり、十分な車間距離を保っていることを記している。
【符号の説明】
【０００９】  １  車間距離安全線
２  道路後端合わせマーク
３  後方車両
４  ミラーに映る安全距離点
５  後方確認をする自動車
６  後方確認をする二輪車
【図１】
0003181909.tif 000003
【図２】
0003181909.tif 000004
【図３】
0003181909.tif 000005
【図４】
0003181909.tif 000006
(57)【要約】      （修正有）【課題】橋梁やプラント設備などの構築物等の撮影の際、対象物のスキマ、裏側、閉された空間などの暗い場所を確実に撮影できる照明装置が付いた高所写真撮影装置を提供する。【解決手段】カメラ保持台にカメラと照明装置を取り付けたカメラユニット９を構成し、該カメラユニット全体を、パン及びチルト装置１０に取り付ける。パン及びチルト装置１０でカメラユニット９の方向を変えると、カメラと照明装置が同期して動く。高所、且つ、暗所の写真撮影において、高所撮影装置の先端にあるカメラ画像にて、手元にあるカメラ画像モニター７で被写体の状況及び位置を確認するためには、カメラ撮影方向を照明で照らす必要がある。カメラの方向を該パン＆チルト装置１０で変えると、カメラと照明装置が連動して動き、常に、カメラ方向を照らす。モニターで被写体を画角に入れ、リモートシャッターで撮影する。【選択図】図１
0003181903.tif 000002
【実用新案登録請求の範囲】
【請求項１】
ポール先端に取り付けられたカメラを有する高所写真撮影装置において、該カメラの方向に連動して、常に同方向を向く照明装置が取り付けられた高所写真撮影装置。
【考案の詳細な説明】
【技術分野】
【００１】  本考案は、橋梁やプラント設備などの構築物、ビルや住宅などの建築物の撮影において、これら対象物のスキマ、裏側、閉された空間などの暗い場所を確実に撮影できる照明装置が付いた高所写真撮影装置に関するものである。
【背景技術】
【００２】  橋梁やプラント設備などの構築物、ビルや住宅などの建築物のメンテナンスでは多くの検査用写真を撮るが、高所であり、且つ、スキマ、裏側、閉された空間などの暗所で撮影する場合が多くある。
写真撮影は、高所撮影装置のポール先端に取り付けられているカメラの方向を、パン＆チルト装置で被写体に向け、手元にあるカメラ画像モニターで被写体の状態や該被写体が画角に入っていることを確認し、同じく手元にあるリモートシャッター装置用スイッチでシャッターを切るという手順で行われる。
被写体が高所且つ暗い場所にある場合には、カメラ画像モニターで被写体の状態や位置を確認することが難しく、写真撮影が難しいという問題がある。
【考案の開示】
【考案が解決しようとする課題】
【００３】  高所、且つ、暗所の写真撮影において、高所撮影装置の先端にあるカメラ画像にて、手元にあるカメラ画像モニターで被写体の状況及び位置を確認するためには、カメラ撮影方向を照明で照らす必要がある。【００４】  高所撮影装置のカメラには方向を変えるパン及びチルト装置が付いており、カメラ方向が変わっても、常に、カメラ撮影方向を照明で照らす必要がある。
【課題を解決するための手段】
【００５】  カメラ保持台にカメラと照明装置を取り付けたカメラユニットを構成し、該カメラユニット全体を、パン及びチルト装置に取り付ける。パン及びチルト装置でカメラユニットの方向を変えると、カメラと照明装置が同期して動く。
【考案の効果】
【００６】  照明装置付きの該カメラユニットを設置した該高所写真撮影装置を使用して、カメラの方向をパン＆チルト装置で変えると、カメラと照明装置が連動して動き、常に、カメラ方向を照らすことができる。【００７】  照明装置付きの該カメラユニットを設置した該高所写真撮影装置を使用して、パン＆チルト装置でカメラの方向を変え、高所且つ暗い被写体をカメラモニタ装置で確認し、被写体を画角に入れることができる。
【実施例】    照明装置とパン＆チルト装置が付いた該カメラユニット、カメラ画像モニター、リモートシャッター装置から構成される該高所写真撮影装置を用いて、高所且つ暗所である橋梁のスキマを撮影し、鮮明な画像を得ることができた。
【図面の簡単な説明】
【図１】図１は、高所写真撮影装置の全体図（側面図）である。
【図２】図２は、高所写真撮影装置の全体図（正面図）である。
【図３】図３は、カメラユニットの全体図である。
【符号の説明】  １：接地プレート
２：伸縮式ポール
３：パン＆チルト装置用コントローラ
４：パン＆チルト装置用ケーブル
５：リモートシャッター装置用スイッチ
６：リモートシャッター装置用ケーブル
７：カメラ画像モニター
８：カメラ画像モニター用ケーブル
９：カメラユニット
１０：パン＆チルト装置
１１：カメラ保持台
１２：リモートシャッター装置
１３：カメラ
１４：照明装置
【図１】
0003181903.tif 000003
【図２】
0003181903.tif 000004
【図３】
0003181903.tif 000005
(57)【要約】【課題】扉に多数の小穴を開け窓面材や窓枠材を不要とする揺動扉において、小穴の数や場所、孔径、間隔、孔形状、開孔率などによる形状デザインに加え、多彩な色や発光による色彩デザインを可能とする、意匠性の高い揺動扉を提供する。【解決手段】扉に多数の小穴を開けた揺動扉の小穴内に、透明樹脂や着色樹脂及び蓄光樹脂を充填する。【選択図】図１
0003181905.tif 000002
【実用新案登録請求の範囲】
【請求項１】
開口の縦一側にヒンジ装置により、隙間を介して揺動自在に取付けられた自閉機能を有する揺動扉であって、一枚板に多数の小穴を開けた扉の小穴内に、樹脂を充填したことを特徴とする揺動扉。
【請求項２】
小穴内に充填する樹脂に蓄光材を入れたことを特徴とする、請求項１に記載の揺動扉。
【考案の詳細な説明】
【技術分野】
【０００１】  本考案は、自閉機能を有する揺動扉に関する。
【背景技術】
【０００２】  スーパーマーケットやコンビニエンスストアなどの商業店舗や工場などで使用され、人の手や台車などで扉を押し開け通過後に扉が自閉する自閉式揺動扉には、扉を押して開ける時の開扉先の安全を確認するため、通常窓面材と窓枠材からなる窓が設けられており、特許文献１に開示されたものがある。【０００３】  自閉式揺動扉には、薄い一枚板の扉に指が入らない穴径の小穴を多数開け、窓面材と窓枠材を不要としたものとして特許文献２に開示されたものがある。
【先行技術文献】
【特許文献】
【０００４】
【特許文献１】特開２００６−２４９８５７号公報
【特許文献２】実用新案登録３１６８６４６号公報
【考案の概要】
【考案が解決しようとする課題】
【０００５】  扉に多数の小穴を開けることにより窓面材や窓枠材を不要とする揺動扉は、小穴の数や場所、孔径、間隔、孔形状、開孔率などにより、形状デザインはできるが色彩デザインができないため、形状デザインに加えて多彩な色や発光による色彩デザインを可能とする意匠性の高い揺動扉を提供する。
【課題を解決するための手段】
【０００６】  本考案は上記課題を解決するため、一枚板に多数の小穴を開けた揺動扉の小穴内に、透明な樹脂や色の付いた着色樹脂を充填する。【０００７】  揺動扉に開けられた多数の小穴内に蓄光材入りの透明樹脂や着色樹脂を充填する。
【考案の効果】
【０００８】  小穴内に色の付いた樹脂を充填することにより、形状デザインに加え多彩な色彩デザインを可能とし、さらにこうした多彩な色や孔の形状を組み合わせることにより、意匠性の高い揺動扉を実現する。【０００９】  小穴内に蓄光材入り樹脂を充填することにより暗くなると発光するので、停電時に扉の位置が確認できるとともに、暗所における発光によるデザインを可能とする揺動扉を実現する。【００１０】  小穴に樹脂を挿入することで小穴が塞がれて指が入らないので、樹脂を挿入する穴径を大きくしたり鋭角な角のある穴形状にすることが可能となり、穴径や形状に制約がなくなり、桜や紅葉、星形など意匠性の高い多彩なデザインの揺動扉を実現する。
【図面の簡単な説明】
【００１１】
【図１】小穴２と小穴２に樹脂３が充填された状態を示す扉１の正面図である。
【図２】図１の扉１のＡ−Ａ’部を上から見た断面図である。
【図３】図１の扉１のＡ−Ａ’部を上から見た図２と異なる扉枠形状の断面図である。
【図４】図１の扉１と異なる形状デザインの実施例を示す扉１の正面図である。
【考案を実現するための最良の形態】
【００１２】  以下、図を参照にしながら本考案の実施形態を説明する。
【００１３】  図１は、扉１に多数の小穴２を開けた部分と、本考案の小穴２内に樹脂３を充填した部分の違いにより、Ｓ字のデザインを描いた状態を示す。
【００１４】  図２は、図１の扉１のＡ−Ａ’部を上から見た断面図で、扉１に小穴２が開いている状態と小穴２に樹脂３が充填されている状態を示す。
【００１５】  図３は、図２と同様、図１の扉１のＡ−Ａ’部を上から見た断面図で、図２と異なる扉枠４の形状を示す。
【００１６】  図４は、図１の本考案の扉１と異なる形状デザインの実施例で、こうしたいろいろな形状デザインの扉１に対し、小穴２に色の付いた着色樹脂３や蓄光材を入れた蓄光樹脂３を充填することにより、文字や図柄など色彩のある多彩なデザインの意匠性の高い揺動扉が可能であることを示す。
【符号の説明】
【００１７】    １  扉
２  小穴
３  樹脂
４  扉枠
【図１】
0003181905.tif 000003
【図２】
0003181905.tif 000004
【図３】
0003181905.tif 000005
【図４】
0003181905.tif 000006
(57)【要約】      （修正有）【課題】災害時において、生命を守る携帯用防災ポンチョを提供する。【解決手段】撥水、防炎性の合羽、ポンチョ１であり、平時は折りたたんで常用携帯ができるようにする。着用後に胸部に内蔵された空気袋１２へ口元から空気を挿入させ、補助浮力を与える。着用後に頭部に内蔵された空気袋１１へ口元から空気を挿入させ、頭部の衝撃を緩和する。ポケットを備えＩＤカード、懐中電灯、笛、マスク、軍手、煙緩和のビニール袋なとを格納する【選択図】図１
0003181904.tif 000002
【実用新案登録請求の範囲】
【請求項１】
平常時は折りたたんで常用携帯ができる軽量、薄型化の撥水、防炎性を有する防災ポンチョであって上半身部分と首まわり部分に繋いでいる胸部空気袋を備え、着用後に必要に応じて口元から空気を挿入することで、補助浮力機能を実現することを特徴とする防災ポンチョ。
【請求項２】
平常時は折りたたんで常用携帯ができる軽量、薄型化の撥水、防炎性を有する防災ポンチョであって頭部に空気袋を備え、着用後に必要に応じて口元から空気を挿入させ、衝撃を緩和することを実現することを特徴とする防災ポンチョ。
【考案の詳細な説明】
【技術分野】
【０００１】  本考案は災害時等において生命を守る携帯用防災ポンチョに関する
【背景技術】
【０００２】  従来の雨合羽、ポンチョは雨を防ぐ機能はあるが、洪水や津波の水難時に補助浮力を与える機能や、落下物等による頭部の衝撃緩和機能を備え、常時携帯できるものがなかった。
【先行技術文献】
【特許文献】
【０００３】
【特許文献】  特開２００５−２９９０６４号
【特許文献】  特開２００５−１６３２４７号
【考案の概要】
【考案が解決しようとする課題】
【０００４】  通勤通学外出の移動時において、ヘルメットやライフジャケットを常時携帯して災害の瞬間に身を守ることは生活行動上で負担が大きい。本考案は平常時に折りたたみ、携帯性を持たせた防災ポンチョで大雨・津波・火災などの災害から身を守ることを目的とした。
【課題を解決するための手段】
【０００５】  本考案は、防災ポンチョの生地に撥水性、難燃性を有するものを使用し雨、火の粉から身を守る。【０００６】  頭部フードの中には、口元からのチューブにより空気で膨張する頭部空気袋を備えて、落下物の衝撃を緩和する。頭部空気袋は口元のチューブから空気を充填して、必要時に膨張させる。膨張した頭部空気袋は落下物等の衝撃被害を緩和する。【０００７】  豪雨、津波など水難状況において、浮力を補助するため防災ポンチョに空気で膨らむ胸部空気袋を備える。胸部空気袋は口元のチューブから空気を充填して必要時に膨張させる。膨張した胸部空気袋は水中での補助浮力を提供する。【０００８】  腹部にはベルトを備え水中落下時に防災ポンチョのめくりあがりを防ぐ。【０００９】    防災ポンチョは懐中電灯、ＩＤカード、ホイッスル、マスクなどの避難用品を入れるポケットを備える。
【考案の効果】
【００１０】  上述の様に本考案の救命具内蔵の携帯用防災ポンチョは、雨具の機能だけではなく災害時に火災時の火の粉からの保護、頭部への衝撃緩和、水難時の補助浮力提供で自らの生命を守る効果を発揮する。
【図面の簡単な説明】
【００１１】
【図１】  本考案の実施形態を示す防災ポンチョの正面図
【図２】  本考案の頭部空気袋を示す模式図
【図３】  本考案の胸部空気袋を示す模式図
【図４】  本考案の装着時固定ベルトを示す模式図
【考案を実施するための形態】
【００１２】  以下、本考案の実施形態を図１〜図４に基づいて説明する。
【００１３】  図１は全体図である。１４、１５は空気袋と繋る空気袋用空気挿入チューブ。１１は１４から空気を吹き込ことにより膨張する頭部保護空気袋。１２は１５から空気を吹き込み膨張する胸部の補助浮力空気袋。１１，１２の空気袋は携帯用防災ポンチョに一体化する。
【００１４】  図２は頭部保護空気袋部分であり、携帯時は収縮しており必要時に１４の頭部保護空気袋用空気挿入チューブから空気を吹き込み、膨張させ落下物等の衝撃を空気袋で緩衝する。
【００１５】  図３は防災ポンチョに内蔵された浮力補助空気袋部分であり、携帯時は収縮しており必要時に１５の浮力補助空気袋用空気挿入チューブから空気を吹き込み、膨張させ水中での浮力補助与える。
【００１６】  図４は胸部の空気袋が水中で広がることを防止する装着固定ベルト。
【符号の説明】
【００１７】  １  防災ポンチョ本体
１１  頭部保護空気袋
１２  浮力補助空気袋
１３  装着固定ベルト
１４  頭部保護空気袋用空気挿入チューブ
１５  浮力補助空気袋用空気挿入チューブ
【図１】
0003181904.tif 000003
【図２】
0003181904.tif 000004
【図３】
0003181904.tif 000005
【図４】
0003181904.tif 000006
(57)【要約】      （修正有） 【課題】グランドに穴を開けることなくプレイできるホールカップを提供する。【解決手段】本体１１と、フラグ立て１２と、フラグ１３からなり、本体１１は、円錐台状で中央に円柱状のホール１１２を備え、ホールの底面にフラグ立てを通すためのフラグ立て穴１１３を備え、フラグ立て１２は、円板に支柱を備えており、フラグ立て穴１１２に、フラグ立て１２の支柱を挿入して、その支柱にフラグを被せて取り付けるようにしたことを特徴とする。【選択図】図２
0003181936.tif 000002
【実用新案登録請求の範囲】
【請求項１】
本体１１と、フラグ立て１２と、フラグ１３からなり、本体１１は、円錐台状で中央に円柱状のホール１１２を備え、ホールの底面にフラグ立てを通すためのフラグ立て穴１１３を設け、フラグ立て１２は、円板１２２に支柱１２１を備えており、フラグ立て穴１１３に、フラグ立て１２の支柱１２１を挿入して、その支柱１２１にフラグ１３を被せて取り付けるようにしたことを特徴とするホールカップ。
【考案の詳細な説明】
【技術分野】
【０００１】
マレットゴルフをグランドで簡単にプレイするためのホールカップに関する。
【背景技術】
【０００２】
マレットゴルフは、カップを狙ってスティックでボールを打ち、カップにいれる打数を競うゲームである。マレットゴルフでは、グランドに約２０ｃｍ、土を掘ってカップを埋め込んでいる。
【先行技術文献】
【特許文献】
【０００３】
【特許文献１】実開平６−１１７６４公報
【考案の概要】
【考案が解決しようとする課題】
【０００４】
マレットゴルフでは、グランドでプレイするためには、カップを置く複数個所にいちいち、土を掘って穴を開けて、そこにカップを埋め込む必要がある。グランドは、土が固くて穴を開けることが難しい場合や、穴を開けるのを禁止している場合がある。
【課題を解決するための手段】
【０００５】
本体１１と、フラグ立て１２と、フラグ１３からなり、本体１１は、円錐台状で中央に円柱状のホール１１２を備え、ホールの底面にフラグ立てを通すためのフラグ立て穴１１３を設け、フラグ立て１２は、円板１２２に支柱１２１を備えており、フラグ立て穴１１３に、フラグ立て１２の支柱１２１を挿入して、その支柱１２１にフラグ１３を被せて取り付けるようにしたことを特徴とするホールカップ。
【考案の効果】
【０００６】
グランドに穴を開けることなくプレイできるホールカップを提供する。
【図面の簡単な説明】
【０００７】
【図１】簡易マレットゴルフのイメージ図
【図２】本考案のホールカップの構成
【図３】本考案のホールカップの組立図      （ａ）本体  （ｂ）フラグ立て  （ｃ）組立図  （ｄ）フラグの取付
【考案を実施するための形態】
【０００８】
図１は、簡易マレットゴルフのイメージ図である。
マレットゴルフに類するゲームを、ボール２、スティック３、及び、本考案のホールカップ１でプレイする様子を示す。本考案のホールカップ１をグランドに置くだけで、容易にゲームを行うことができる
【０００９】
図２は、本考案のホールカップの構成である。本考案のホールカップは、本体１１と、フラグ立て１２と、フラグ１３からなる。本体１１は、円錐台状で中央に円柱状のホール１１２を備えた土台１１１と、円柱状の穴の底面にフラグ立てを通すためのフラグ立て穴１１３を備える。フラグ立て１２は、円板１２２の真ん中に支柱１２１を立てている。
【００１０】
図３は、ホールカップの組立図である。（ａ）は本体、（ｂ）はフラグ立て、（ｃ）は組立て図、（ｄ）はフラグを取り付けた状態を示す。（a）のホールカップの底面にあけたフラグ立て穴１１３に、（b）のフラグ立て１２の支柱１２１を下方向から挿入して（ｃ）のように組み立て、フラグを上から支柱１２１に被せて（d）のように取り付ける。
【産業上の利用可能性】
【００１１】
マレットゴルフに類するゲームを簡易に実現でき普及促進できる。
【符号の説明】
【００１２】
１  ホールアップ
１１  本体
１１１  土台
１１２  ホール
１１３  フラグ立て穴
１２  フラグ立て
１２１  支柱
１２２  円板
１３  フラグ
２  ボール
３  スティック
【図１】
0003181936.tif 000003
【図２】
0003181936.tif 000004
【図３】
0003181936.tif 000005
(57)【要約】【課題】供物として利用される青果物に「初盆」の文字を表示して、初盆であることを知ることができるようにした供物用青果物を提供する。【解決手段】初盆の際に供物として利用される青果物であって、表面に「初盆」の文字が表示されている供物用青果物で、青果物はスイカ、マンゴー、メロン、リンゴあるいは梨等が利用可能である。「初盆」の文字の表示は、「初盆」が印刷されたシールを貼着したり、青果物の成長期に「初盆」の文字の形をしたシールを貼着して太陽光線から遮蔽し、太陽光線で日焼けしないようにして「初盆」の文字を形成したり、絵の具と筆により、青果物「初盆」の文字を書いてもよい。【選択図】図１
0003181934.tif 000002
【実用新案登録請求の範囲】
【請求項１】
初盆の際に供物として利用される青果物であって、表面に「初盆」の文字が表示されていることを特徴とする供物用青果物。
【請求項２】
青果物がスイカ、マンゴー、メロン、リンゴあるいは梨のいずれかであることを特徴とする請求項１に記載の供物用青果物。
【考案の詳細な説明】
【技術分野】
【０００１】
本考案は、初盆の際に供物として利用される、「初盆」の文字が表示されたスイカ、マンゴー、メロンなどの供物用青果物に関する。
【背景技術】
【０００２】
昔から、日本の風習として、初盆は故人が仏になって初めて里帰りするということで、初盆を迎える家庭においては仏壇にお菓子、果物類の青果物を供えて供養する。供物は親族や友人から送られることもある。さらに精霊船を作って死者の霊を祭り、お盆の最後の８月１５日に、供えていたお菓子や果物類を精霊船に載せ、近くの河川や海へ流して死者の霊を送り出すことも行われている（特許文献１参照）。
【先行技術文献】
【特許文献】
【０００３】
【特許文献１】特開平０５−１３７６３６号公報
【考案の開示】
【考案が解決しようとする課題】
【０００４】
初盆は、故人が仏になって初めて里帰りするということで通常の盆よりより丁寧な供養を行うことから、親族や知人、友人などの参列者に初盆であることを知ってもらうことが必要である。しかしながら、特に初盆であることが表示されることはない。
【０００５】
そこで、本考案は、供物として利用される青果物に「初盆」の文字を表示して、初盆であることを知ることができるようにした供物用青果物を提供するものである。
【課題を解決するための手段】
【０００６】
本考案は、初盆の際に供物として利用される青果物であって、表面に「初盆」の文字が表示されていることを特徴とする供物用青果物である。
【０００７】
本考案において供物として利用される青果物は、「初盆」の文字が表示できるものであれば、特に制限されるものではないが、一般に、供物として利用されている、スイカ、
マンゴー、メロン、リンゴあるいは梨等が利用可能である。
【０００８】
「初盆」の文字の表示は、供養終了後に食する場合もあるので、できる限り青果物を傷めないように表示できる手段が適している。
【０００９】
「初盆」の文字の表示手段について、例えば、簡単な方法として、「初盆」が印刷されたシールを貼着する。
【００１０】
別の方法として、青果物の成長期に「初盆」の文字の形をしたシールを貼着して太陽光線から遮蔽し、太陽光線で日焼けしないようにして「初盆」の文字を形成する。
【００１１】
あるいは、絵の具と筆により、青果物の色にマッチングした色で「初盆」の文字を書いてもよい。
【考案の効果】
【００１２】
本考案の「初盆」の文字が表示された青果物を供物とすることにより、親族や知人、友人などの参列者が初盆であることを知ってもらうことができ、故人を偲んで丁寧な供養が可能となる。
【図面の簡単な説明】
【００１３】
【図１】本考案による成果物の一例を示し、スイカに「初盆」の文字を表示したものである。
【考案を実施するための最良の形態】
【００１４】
本考案の実施例について図面を参照しながら説明する。
【実施例１】
【００１５】
図１に示す例は、青果物１としてスイカを使用し、スイカ１の表面に「初盆」の文字２を表示したものである。本実施例では、「初盆」の文字２は、絵の具と筆により表示したものである。
【符号の説明】
【００１６】
１： 青果物（スイカ）
２：「初盆」の文字
【図１】
0003181934.tif 000003
(57)【要約】      （修正有）【課題】老人や指先の不自由な人に留め易く、留め強度に影響しないホック用割りバネを提供する。【解決手段】ホック用割りバネ１０において、ゲンコ挿入口１１をゲンコ１５側と対向させて形成し、このゲンコ挿入口１１から奥方向に向けて僅かに内径を絞った筒部１２を形成すると共に、この筒部１２の先端に割りバネ部１３を形成する。これにより、ゲンコ１５は筒部１２の入口では入り易く、バネ部１３では従来品と同等の留め強度を得ることができる。【選択図】図１
0003181051.tif 000002
【実用新案登録請求の範囲】
【請求項１】
ホック用割りバネにおいて、ゲンコ挿入口をゲンコ側に向けて形成し、このゲンコ挿入口から奥方向に向けて僅かに内径に絞り傾斜をつけた筒部１２を形成すると共にこの筒部の先端に割りバネ部を形成したこと、を特徴とするホック用バネ。
【考案の詳細な説明】
【技術分野】
【０００１】
本考案は、老人や指先の不自由な人向けとして留める際にバネ穴とゲンコを合わせ易く、然も留め強度に影響しないように構成したホック用バネに関する。
【背景技術】
【０００２】
従来のホック用割りバネ１は、図４に示すように、ゲンコ５側に向けた筒部２の先端に割り３を設けてここを割りバネ部４としている。
【０００３】
そして、ゲンコ５は、図４において矢印方向から割りバネ部４に対して直接挿入する構成であることから、この割りバネ部４にゲンコ５を挿入するときに大きな力が必要になると共にゲンコ５の頭は丸く形成されているため、割りバネ部４の縁で滑り、割りバネ部４とゲンコ５の中心がなかなか一致せず、老人や指先の不自由な人の場合には留めにくく、手間がかかるという問題があった。
【考案の概要】
【考案が解決しようとする課題】
【０００４】
本考案は、特に老人や指先の不自由な人にも留め易く、然も留め強度に影響しないホック用割りバネを提供することを課題とする。
【課題を解決するための手段】
【０００５】
本考案は、上記課題を解決するため、ホック用割りバネにおいて、ゲンコ挿入口をゲンコ側に向けて形成し、このゲンコ挿入口から奥方向に向けて僅かに内径に絞り傾斜をつけた筒部を形成すると共にこの筒部の先端に割りバネ部を形成したこと、を特徴とするものである。
【考案の効果】
【０００６】
本考案のバネは、ゲンコ挿入口の奥に割りバネ部を形成し、この割りバネ部はゲンコ挿入口から僅かに内径を絞った筒部の先に形成されているため、ゲンコはゲンコ挿入口から進入するとき、この筒部の絞りにより割りバネ部の中央に誘導され、その上で割りバネ部の割りを拡げて嵌合するため、留める際にゲンコを挿入口に合わせ易く、然も割りバネ部に嵌合したときの強度は従来品と同等である。
【０００７】
よって、老人や指先の不自由な人、あるいは子供等にも留め易く、嵌合強度は従来のリングバネホックと変らない効果を得ることができる。
【図面の簡単な説明】
【０００８】
【図１】本考案に係る割りバネ及びゲンコ及びリング爪の分解説明図
【図２】割りバネにゲンコを留めたサイレントホックの説明図
【図３】厚手の布又は素材に対応した割りバネに本考案を実施した実施例２の説明図
【図４】従来の割りバネとゲンコの説明図
【考案を実施するための形態】
【実施例１】
【０００９】
図１に基づいて本考案に係る割りバネとゲンコの構成を詳細に説明する。
【００１０】
符号の１０は割りバネであって、この割りバネ１０はゲンコ挿入口１１から奥方向に筒部１２が形成され、この筒部１２の先端にスリット１４により割りバネ部１３が形成されている。
【００１１】
また、前記筒部１２は、ゲンコ挿入口１１から割りバネ部１３に向けて僅かに絞り傾斜がつけてあることにより、ゲンコ１５はゲンコ挿入口１１においては楽に入り易く、筒部１２の絞りの作用で割りバネ部１３の中心に誘導されて侵入し、その後嵌合する。
【００１２】
このように割りバネ部１３の中心とゲンコ１５の中心が合致しやすいため、ゲンコ１５を留めるときはやさしく、留めた後の嵌合強度は従来品と全く同じとなる。
【００１３】
図１において、１７はリング爪であって、割りバネ１０とゲンコ１５を布地１６に取り付けるためのものである。
【実施例２】
【００１４】
本実施例は、所謂薄型のサイレントホックに関し、図３にその構成が示してあるが、構成とその作用は実施例１と同じである。
【００１５】
但し、割りバネ１０及びゲンコ１５は図１の割りバネ１０及びゲンコ１５に比較して偏平化されている。
【００１６】
図３において、符号の１８はホソ、１９はバネ用皿、２０はバネ用ガワ、２１は頭用ホソ、２２は頭である。
【符号の説明】
【００１７】
１０  割りバネ
１１  ゲンコ挿入口
１２  筒部
１３  割りバネ部
１４  スリット
１５  ゲンコ
１６  生地
１７  リング爪
１８  ホソ
１９  バネ用皿
２０  バネ用ガワ
２１  頭用ホノ
２２  頭
【図１】
0003181051.tif 000003
【図２】
0003181051.tif 000004
【図３】
0003181051.tif 000005
【図４】
0003181051.tif 000006